(57)【要約】【課題】風路の取付け部からの気流漏れがなく、信頼性の高い温度制御が行なえ、かつ冷蔵庫への取付けが容易で安価なダンパー装置を提供する。【解決手段】フレーム４と、フレーム４の開口部２を開閉するバッフル５と、バッフル５を駆動する駆動部６を具備し、駆動部６を、外郭を形成する樹脂製のケース７と、フレーム４の一端に形成され、かつケース７の蓋となるカバー８と、ケース７とカバー８を固定するネジ１４を具備する構成とし、ケース７の側壁外周に凹凸がなく、ネジ１４の頭部がケース７の底面７ａから突出しない構成とした。これにより、ダンパー装置１を、直線的な形状に仕上げ、取付け部と面接触させて取付け部のシール性と、取り付け性を向上することができる。【選択図】図２
2011012843.tif 000002
【特許請求の範囲】
【請求項１】
開口部を有する樹脂製のフレームと、前記開口部を開閉するバッフルと、前記バッフルを駆動する駆動部を具備し、前記駆動部を、正逆回転可能な駆動源と、前記駆動源の回転を減速してバッフルに伝える減速輪列と、外郭を形成する樹脂製のケースと、前記フレームの一端に形成され、かつ前記ケースの蓋部となるカバーと、前記ケースと前記カバーを固定するネジを具備するダンパー装置において、前記ケースを、底面と、側壁を有する箱形状とし、前記カバーに、前記ケースの閉塞状態において、該ケースの内壁に接触、もしくは近接して位置し、かつ中心軸となる部分に前記ネジと螺合するネジ穴を設けた柱体を突出して設け、さらに、前記ケースの底面の所定部分に、前記柱体の先端と当接するように該底面の一部が前記柱体に近づく方向へ突出した段差部を設け、前記段差部に、前記ネジが貫通する貫通孔を設けたダンパー装置。
【請求項２】
前記柱体の長さを、前記ネジにて締め付けるのに必要な最小限の長さとした請求項１に記載のダンパー装置。
【請求項３】
前記駆動源と前記減速輪列を、前記ケースと前記カバーによって位置決め保持し、前記カバーに、前記ケースの側壁とわずかにクリアランスを有するリブを設け、前記ケースの側壁の内側に設けた凸部と前記カバーのリブを当接することにより、前記ケースと前記カバーの位置決めを行うようにした請求項１または２に記載のダンパー装置。
【請求項４】
前記フレームの開口部を形成する開口形成部の面と前記ケースを形成する側壁の一つを面一となるようにした請求項１から３のいずれか一項に記載のダンパー装置。
【請求項５】
断熱空間で形成される物品貯蔵室と、圧縮機、凝縮器、減圧装置、蒸発器を、配管を介して環状に連結した冷凍サイクルと、前記蒸発器もしくは凝縮器による温調気流を前記物品貯蔵室内に送り込む送風手段を具備した貯蔵装置において、前記送風手段を、一端が前記凝縮器、もしくは蒸発器を配置した温調室に開口し、他端が前記物品貯蔵室に開口した送風回路と、前記温調室、もしくは前記送風回路に設けられた送風機と、前記送風回路に設けられたダンパー装置を具備する構成とし、前記ダンパー装置を、請求項１から４のいずれか一項に記載のダンパー装置とした物品貯蔵装置。
【発明の詳細な説明】
【技術分野】
【０００１】
本発明は、例えば、冷蔵庫等における貯蔵室内部の冷風路に設けられ、該風路を開閉して温度を調整する用途等に用いられるダンパー装置、およびそのダンパー装置を具備した物品貯蔵装置に関するものである。
【背景技術】
【０００２】
従来から冷蔵庫庫内に設けられた複数の冷蔵室の温度を制御する手段として、冷却器から各冷蔵室へ通じる冷気の風路をバッフルにて開閉し、各冷蔵室に流入する冷気量を制御するダンパー装置が採用されており、これらは大別して一つの駆動源により一つのバッフルを動作させる方式と、一つの駆動源により二つのバッフルを動作させる方式がある。
【０００３】
前記一つの駆動源により一つのバッフルを動作させる方式は、モータの回転制御により一つの開口部を開閉動作させるものである（例えば、特許文献１参照）。
【０００４】
図８、図９は、上記特許文献１に記載された従来のダンパー装置を示すもので、図８（ａ）は、ダンパー装置の正面図、（ｂ）は、同ダンパー装置の一部を断面で示す右側面図、（ｃ）は、同ダンパー装置の一部を断面で示す底面図である。図９は、同ダンパー装置の駆動機構の内部構造図である。
【０００５】
図８、図９に示すように、このダンパー装置１００は、樹脂製のフレーム１０１とフレーム１０１に設けられた開口部１０２と、開口部１０２を形成する開口形成部１０３と、フレーム１０１の一端に設けられた円柱部１０４と、開口部１０１を開閉するバッフル１０５と、フレーム１０１の側面に配置され、かつバッフル１０５を開閉動作させる駆動部１０６と、駆動部１０６の外郭を形成する箱形のケース１０７と、カバー１０８と、フレーム１０１とケース１０７を固定するネジ１０９から構成されている。
【０００６】
ここで、円柱部１０４は、駆動部１０６の四つの角部にそれぞれ設けられ、ネジ１０９が螺合するネジ穴を具備したボス部を兼ねている。
【０００７】
また、駆動部１０６は、駆動源となる正逆回転可能なモータ（パルスモータ等）１１０と、モータ１１０の回転軸に取付けられたピニオン１１１と、モータ１１０の回転を減速するための３つの歯車ａ、ｂ、ｃからなる減速輪列１１２と、減速輪列１１２により減速されたモータ１１０の回転が伝達される駆動歯車１１３と、駆動歯車１１３と噛み合うとともにバッフル１０５の回転軸と回転中心軸１１４を介して連結し、バッフル１０５を回転駆動させる従動歯車１１５とから構成されている。
【０００８】
そして、ダンパー装置１００は、駆動部１０６に内蔵されたモータ１１０の駆動によってバッフル１０５が所定角度の範囲で正逆転方向に回転することにより、開口部１０２が開閉され、気流の流通あるいは遮断を制御することができる構成となっている。
【０００９】
また、ダンパー装置１００は、冷蔵庫の風路内に設置されており、風路壁面とダンパー装置の取付け部からの冷気の漏れを防ぐため、駆動部１０６の外周、およびフレーム１０１の外周等にソフトテープ（図示せず）が貼り付けられた状態で取付けられている。
【先行技術文献】
【特許文献】
【００１０】
【特許文献１】特開２００３−３２２４５５号公報
【発明の概要】
【発明が解決しようとする課題】
【００１１】
しかしながら、上記従来の構成では、ダンパー装置１００を冷蔵庫等の風路へ組み込んだ場合、フレーム１０１の円柱部１０４がケース１０７の外側に位置していることに伴い、円柱部１０４とケース１０７の間に隙間が形成され、駆動部１０６の外周と風路壁面との間から冷気が漏れ易く、庫内の温度を確実に制御することができなくなるという課題を有していた。
【００１２】
また、冷気の漏れを防ぐためにソフトテープの厚みを上げる等の工夫が必要であり、コストがかかってしまうという課題も有していた。
【００１３】
さらに、円柱部１０４の高さ寸法が、ケース１０７の深さ寸法とほぼ同じ長さとなっており、フレーム１０１のサイズが大きく、フレームの成形金型費が高くなるという課題を有していた。
【００１４】
また、フレーム１０１の開口形成部１０３とケース１０７の間に段差を有する形状であるため、冷蔵庫等の取付け部形状が複雑となってしまうという課題を有していた。
【００１５】
本発明は、上記従来の課題を解決するもので、駆動部の外周に隙間が無く、冷蔵庫等の取付け部からの漏れがないシール性の高いダンパー装置を提供し、また、温度制御の信頼性を高くし、安定した温度制御が行なえる物品貯蔵装置することを目的とするものである。
【課題を解決するための手段】
【００１６】
上記従来の課題を解決するために、本発明のダンパー装置は、駆動部を、フレームの一端に形成されたカバーと、前記カバーにネジ止めされるケースを具備する構成とし、前記ケースを、底面と、側壁を有する箱形状とし、前記カバーに、前記ケースの閉塞状態において、該ケースの内壁に接触、もしくは近接して位置し、かつ中心軸となる部分に前記ネジと螺合するネジ穴を設けた柱体を突出して設け、さらに、前記ケースの底面の所定部分に、前記柱体の先端と当接するように該底面の一部が前記柱体に近づく方向へ突出した段差部を設け、前記段差部に、前記ネジが貫通する貫通孔を設けたものである。
【００１７】
したがって、ケースを平面体の組み合わせからなる箱形状としたことに伴い、外周の段差を、平面の投影面内に収め、ケースの接触面となる外周を平面とすることができる。
【００１８】
その結果、冷蔵庫等の機器への取付けにおいて、取付け部を、平面と平面の当接構造とすることができ、取付け部の構成の簡素化をはかり、また凹凸の接触に伴う隙間からの冷気の漏れも抑制することができ、温度制御の信頼性を高めることができる。また、上述した冷気漏れ抑制のためのシール材の必要性も緩和され、その使用量も削減することができる。
【発明の効果】
【００１９】
本発明のダンパー装置は、冷蔵庫等の機器への取付け時における風路壁面とのシール性を確実なものとし、温度制御の信頼性を高めることができるものである。また、成形金型費用が削減でき、かつ冷蔵庫等の機器への取付けも容易とすることができる。
【００２０】
さらに、かかるダンパー装置を具備した物品貯蔵装置は、温度調整のための気流制御を安定させ、信頼性を高めた温度制御効果を得ることができる。
【図面の簡単な説明】
【００２１】
【図１】本発明の実施の形態１におけるダンパー装置の正面図
【図２】同ダンパー装置における一部を断面で示す上面図
【図３】同ダンパー装置の右側面図
【図４】図１のＡ―Ａ線による同ダンパー装置の断面を含む左側面図
【図５】図１のＢ―Ｂ線による同ダンパー装置を構成する駆動部の内部構造を示す平面図
【図６】同ダンパー装置を構成する駆動部の内部構造を示す展開断面図
【図７】本発明の実施の形態２における物品貯蔵室の構成を示す模式図
【図８】（ａ）は、従来例を示すダンパー装置の正面図、（ｂ）は、同ダンパー装置の一部を断面で示す右側面図、（ｃ）は、同ダンパー装置の一部を断面で示す底面図
【図９】同ダンパー装置の駆動機構の内部構造図
【発明を実施するための形態】
【００２２】
請求項１に記載の発明は、開口部を有する樹脂製のフレームと、前記開口部を開閉するバッフルと、前記バッフルを駆動する駆動部を具備し、前記駆動部を、正逆回転可能な駆動源と、前記駆動源の回転を減速してバッフルに伝える減速輪列と、外郭を形成する樹脂製のケースと、前記フレームの一端に形成され、かつ前記ケースの蓋部となるカバーと、前記ケースと前記カバーを固定するネジを具備するダンパー装置において、前記ケースを、底面と、側壁を有する箱形状とし、前記カバーに、前記ケースの閉塞状態において、該ケースの内壁に接触、もしくは近接して位置し、かつ中心軸となる部分に前記ネジと螺合するネジ穴を設けた柱体を突出して設け、さらに、前記ケースの底面の所定部分に、前記柱体の先端と当接するように該底面の一部が前記柱体に近づく方向へ突出した段差部を設け、前記段差部に、前記ネジが貫通する貫通孔を設けたものである。
【００２３】
かかる構成とすることにより、カバーに設けたネジ止めのための柱体をケース内に配置させる構成であるため、ケースを箱形状とし、外周の段差を、平面の投影面内に収め、ケースの接触面となる外周を平面とすることができる。
【００２４】
その結果、冷蔵庫等の機器への取付けにおいて、取付け部を、平面と平面の当接構造とすることができ、取付け部の構成の簡素化をはかることができる。また凹凸の接触に伴う隙間からの冷気の漏れも抑制することができ、温度制御の信頼性を高めることができる。さらに、上述した冷気漏れ抑制のためのシール材の必要性も緩和され、その使用量も削減することができる。
【００２５】
また、前記柱体が、前記ケースを閉塞する際におけるカバーへのガイド機能を果たすため、ケースとカバーの位置合わせが容易となる。加えて、ケースの段差部の形成により、柱体のケースへの挿入ストロークが短くでき、組立作業性を改善することができる。また、ネジの頭部がケースの外周平面から突出しないため、冷蔵庫等の機器への取付け時にネジの頭部が邪魔とならず、取付け部の形状をより簡素化することができる。
【００２６】
さらに、前記フレームに設けたカバーをケースに固定する構成としているため、駆動部であるケースの互換性が可能となり、大きさ、形状等が異なるフレームへの取り付けが可能となり、用途等に合わせた組み換えが可能となる。
【００２７】
請求項２に記載の発明は、請求項１に記載の発明において、前記柱体の長さを、前記ネジにて締め付けるのに必要な最小限の長さとしたものである。
【００２８】
これによって、前記柱体の高さ寸法を短くすることができ、フレームの大きさを小さくすることができる。その結果、フレームを成形するための金型費用を抑制し、ダンパー装
置を、安価なものとすることができる。
【００２９】
請求項３に記載の発明は、請求項１または２に記載の発明において、前記駆動源と前記減速輪列を、前記ケースと前記カバーによって位置決め保持し、前記カバーに、前記ケースの側壁とわずかにクリアランスを有するリブを設け、前記ケースの側壁の内側に設けた凸部と前記カバーのリブを当接することにより、前記ケースと前記カバーの位置決めを行うようにしたものである。
【００３０】
かかる構成とすることにより、前記ケースとカバーの位置ずれが防止でき、ケースとカバーによって保持されている駆動源、減速輪列の位置決めを確実に行うことができる。その結果、回転時の減速輪列のこじれ等が防止でき、駆動源の回転を確実にバッフルに伝達でき、開閉動作の信頼性を向上することができる。
【００３１】
請求項４に記載の発明は、請求項１から３のいずれか一項に記載の発明において、前記フレームの開口部を形成する開口形成部の面と前記ケースを形成する側壁の一つを面一となるようにしたものである。
【００３２】
これによって、ダンパー装置を冷蔵庫等の機器の風路内に設置する際の、前記面一部分が当接する箇所を平面とすることができ、取付け部の構造の簡素化と取付けに要するコストを削減することができる。
【００３３】
請求項５に記載の発明は、断熱空間で形成される物品貯蔵室と、圧縮機、凝縮器、減圧装置、蒸発器を、配管を介して環状に連結した冷凍サイクルと、前記蒸発器もしくは凝縮器による温調気流を前記物品貯蔵室内に送り込む送風手段を具備した貯蔵装置において、前記送風手段を、一端が前記凝縮器、もしくは蒸発器を配置した温調室に開口し、他端が前記物品貯蔵室に開口した送風回路と、前記温調室、もしくは前記送風回路に設けられた送風機と、前記送風回路に設けられたダンパー装置を具備する構成とし、前記ダンパー装置を、請求項１から４のいずれか一項に記載のダンパー装置とした物品貯蔵装置である。
【００３４】
かかる構成とすることにより、冷蔵庫取付け時における風路壁面とのシール性を確実なものとし、温度制御の信頼性を高めることが期待でき、物品貯蔵装置の温度調整のための気流制御を安定させ、信頼性を高めた物品貯蔵装置を得ることができる。
【００３５】
以下、本発明の実施の形態について図面を参照しながら説明する。なお、この実施の形態によって本発明が限定されるものではない。
【００３６】
（実施の形態１）
図１は、本発明の実施の形態１におけるダンパー装置の正面図、図２は、同ダンパー装置における一部を断面で示す上面図、図３は、同ダンパー装置の右側面図、図４は、同ダンパー装置の図１のＡ―Ａ線による断面を含む左側面図、図５は、同ダンパー装置を構成する駆動部の内部構造を示す図１のＢ−Ｂ線による断面の平面図、図６は同ダンパー装置を構成する駆動部の内部構造を示す展開断面図である。
【００３７】
図１から図６において、ダンパー装置１は、冷気が通過するための開口部２を略中央部に具備した板状の開口形成部３を有する樹脂製のフレーム４と、フレーム４の長辺の一つを軸にして開口部４を開閉するバッフル５と、バッフル５を回転駆動する駆動部６を具備している。
【００３８】
また、駆動部６は、一面が開口した箱形状に形成された樹脂製のケース７と、フレーム４の一端に形成され、かつケース７の開口を塞ぐ蓋部となるカバー８によってその外郭が
形成されている。ケース７は、底面７ａと側壁７ｂによって箱形に形成されており、ケース７とカバー８は、ネジ１４によって固定される。
【００３９】
そして、ケース７の内部には、図５に示す如く、ダンパー装置１の駆動源となる正逆回転可能で内部に減速機構（図示せず）等を具備するギヤードタイプのモータ９と、モータ９の回転軸９ａに取り付けられたピニオン１０と、ピニオン１０の回転が伝達される駆動歯車１１と、駆動歯車１１により減速されたモータ９の回転を、回転中心軸１３ａを介してバッフル５に伝える従動歯車１３が配置されている。ここでピニオン１０と駆動歯車１１は、モータ９の回転を減速する減速輪列１２を構成している。
【００４０】
また、カバー８は、ケース７の閉塞時においてカバー８をケース７の定位置へ導くガイド機能を有し、かつケース７の閉塞状態において、該ケース７内の四隅に接触、あるいは近接して位置する円柱部１５を設けている。この円柱部１５は、ケース７の閉塞状態において、ケース７の底面７ａに到達しない長さに設定され、中心軸となる部分にネジ１４と螺合するネジ穴１５ａが設けられている。なお、円柱部１５は、ケース７内の四隅に接触、あるいは近接して位置する関係が維持される形状であれば、円柱形状に限るものではない。
【００４１】
さらに、図６に示す如く、ケース７は、底面７ａに、カバー８による閉塞状態において、該カバー８の円柱部１５の先端と当接する段差部７ｃと、円柱部１５のネジ穴１５ａと一致する貫通孔７ｈを設けている。
【００４２】
したがって、ケースのカバー８による閉塞状態においては、ネジ１４の頭部がケース７の底面７ａから突出しない構成とし、ケース７の側壁７ｂの外周投影面を飛び出す凹凸がない形状としている。さらに、円柱部１５のネジ穴１５ａの深さを、ネジ１４にて締め付けるのに必要な最小限の長さとなるように設定しており、本実施の形態１においては、図２に示す如く１ｍｍの余裕代を設けている。
【００４３】
ケース７内の構成をさらに詳述すると、図６に示す如く、モータ９は、ケース７に設けたモータ固定用突起７ｄと、カバー８に設けたモータ固定用突起８ａにて挟み込むことにより位置決め固定されている。また、ピニオン１０は、モータ９の回転軸９ａとカバー８に設けられた凹部８ｂにより、回転自在に位置決めされている。さらに、駆動歯車１１は、ケース７に設けた軸部７ｅと、カバー８に設けた凹部８ｃにて回転自在に位置決めされている。そして、従動歯車１３は、ケース７に設けた軸部７ｆとカバー８の穴部８ｄにより回転自在に位置決め保持され、ケース７とカバー８の位置決めは、図５に示す如くケース７の側壁７ｂの内側とわずかにクリアランスを有するリブ８ｅをカバー８に設け、ケース７の側壁７ｂの内側に設けた凸部７ｇとリブ８ｅを当接させることにより行っている。
【００４４】
また、ケース７の側壁７ｂにおける開口形成部３と同じ向きの面を、図２、図３の線Ｘで示す如くフレーム４の開口形成部３と面一とすることにより、段差のないフラットな形状としている。
【００４５】
以上のように構成されたダンパー装置１の動作について説明する。
【００４６】
モータ９を駆動することにより、バッフル５は、上述の如く駆動部６の動力を受け、従動歯車１３、および回転中心軸１３ａの回転によって所定角度の範囲で往復回動する。この往復回動により、バッフル５は、開口部２を全閉状態から全開状態、全開状態から全閉状態に制御する動作を行う。また必要に応じてその途中でバッフル５の回動を停止し、流通する空気の量を制御することもできる。かかる動作は、周知の動作内容であるので、詳細な説明を省略する。
【００４７】
したがって、上記構成からなるダンパー装置１は、バッフル５の回転動作により、開口部２を開閉することができるため、例えば冷蔵庫等の冷気風路内、あるいはダクト内に配置されることにより、冷気の流通（流量）を制御し、貯蔵室内の温度を略一定に維持することができる。
【００４８】
また、ダンパー装置１を構成する駆動部６は、カバー８に設けた円柱部１５ａをケース７内に位置させてケース７の側壁７ｂ外周を平面状とし、また、ネジ１４の頭部がケース７の底面７ａから突出しない構成としているため、冷蔵庫等の機器への取付け状態において、風路壁面との隙間の発生のない取り付けが可能となり、前記隙間に伴う冷気の漏れを抑制することができ、温度制御の信頼性を高いものとすることができる。
【００４９】
さらに、冷蔵庫等の機器への取付け時に、シール性を確保するために駆動部６の外周にソフトフォーム（図示せず）を貼り付ける場合においても、ソフトフォームの厚みを必要以上に厚くする必要がなく、貼付け作業も容易に行うことができ、冷蔵庫等の機器への取り付けコストを抑制することができる。
【００５０】
また、ネジ１４の頭部がケース７の底面７ａから突出していないため、冷蔵庫等の機器への取り付け時に、ネジ１４の頭部が邪魔となることもなく、取付け部の形状を簡素化でき、取り付けコストを抑制することができる。
【００５１】
さらに、フレーム４のカバー８とケース７の固定は、フレーム４と反対側からネジ１４にて行うため、フレーム４の大きさ、形状に関係なく、容易に組立てを行うことができる。したがって、フレーム４の形状、大きさを用途等にあわせて自由に変えることが可能となる。
【００５２】
また、カバー８に設けた円柱部１５の長さを、ネジ１４にて締め付けるのに必要な最小限の長さにし、円柱部１５の長さ寸法を最小としているため、カバー８を一体成型するフレーム４の大きさを最小とすることができ、フレーム４を成型するための金型費用を抑制することができる。その結果、ダンパー装置１を、安価なものとすることができる。
【００５３】
また、円柱部１５を、ケース７の側壁７ｂの近傍の角部に位置するようにカバー８に設けているため、該円柱部１５を、カバー８をケース７に組み込む際のガイドとすることができる。したがって、ケース７とカバー８の組込みが容易となり、組立て作業性の向上をはかることができる。
【００５４】
また、モータ９は、ケース７に設けたモータ固定用突起７ｄとカバー８に設けたモータ固定用突起８ａにて挟み込むことにより位置決め固定し、ピニオン１０は、モータ９の回転軸９ａとカバー８に設けた凹部８ｂにより回転自在に位置決めし、駆動歯車１１は、ケース７に設けた軸部７ｅとカバー８に設けた凹部８ｃにて回転自在に位置決めし、従動歯車１３は、ケース７に設けた軸部７ｆとカバー８の穴部８ｄにより回転自在に位置決め保持される構造とし、さらに、ケース７の側壁７ｂ内側とわずかにクリアランスを有するリブ８ｅをカバー８に設け、ケース７の側壁７ｂの内側に設けた凸部７ｇとリブ８ｅを当接させることにより、ケース７とカバー８の位置決めを行なう構成としている。
【００５５】
その結果、ケース７とカバー８により保持されているモータ９、ピニオン１０、駆動歯車１１および従動歯車１３の位置決めを確実に行なうことができ、開閉動作時の各部品のこじれ等を防止し、モータ９の回転を確実にバッフル５へ伝達することができる。したがって、ダンパー装置１における開閉動作の信頼性を向上することができる。
【００５６】
また、フレーム４の開口形成部３と、ケース７の側壁７ｂのうちの開口形成部３と同じ向きの面を面一とすることにより、全体を平面部で形成する直線的な形に仕上げることができ、ダンパー装置１を冷蔵庫等の機器の風路内に設置する際に、開口形成部３とケース７の間に段差部を形成することが少なくなる。その結果、機器側の取付け部の構造が簡素化でき、取付けに要するコストの削減が期待できる。
【００５７】
（実施の形態２）
図７は、本発明の実施の形態２における物品貯蔵装置の構成を示す模式図である。なお、ここでは、ダンパー装置を実施の形態１のダンパー装置とし、実施の形態１の構成要件と同様の構成要件には同一の符号を付して説明する。
【００５８】
図７において、貯蔵装置本体５１は、内部に、前面が開口し、断熱材によって囲われた第一貯蔵室５２ａ、第二貯蔵室５２ｂ、第三貯蔵室５２ｃを具備し、前面に、第一貯蔵室５２ａ、第二貯蔵室５２ｂ、第三貯蔵室５２ｃに対応して前記開口を開閉する断熱性の第一扉５３ａ、第二扉５３ｂ、第三扉５３ｃを具備している。
【００５９】
また、第一貯蔵室５２ａと第二貯蔵室５２ｂは、連絡通路５４を介して連通している。
【００６０】
さらに、貯蔵装置本体５１には、圧縮機５５、凝縮器５６、減圧装置５７、蒸発器５８を配管により環状に連結した冷凍サイクルが設けられており、蒸発器５８は、第三貯蔵室５２ｃの背面に形成した冷却室５９内に配置されている。この冷却室５９の上部には冷気を第二貯蔵室５２ｂに送るための風路６０が設けられている。また、冷却室５９内には、蒸発器５８で冷却された冷気を、積極的に第一貯蔵室５２ａ、第二貯蔵室５２ｂ、第三貯蔵室５２ｃ内で循環させる送風機６１が設けられている。
【００６１】
さらに、風路６０には、第一貯蔵室５２ａ内への冷気の供給を制御するダンパー装置１が設けられている。このダンパー装置１は、少なくとも第一貯蔵室５２ａ内の温度をセンサー６２により検出し、その検出温度を入力とする制御装置（図示せず）からの信号に基づいて風路６０の開閉、もしくは開放度合いの調整を行う。その結果、送風機６１による冷気の供給、もしくは供給量を制御することができ、第一貯蔵室５２ａ内の温度を制御する。そして、第二貯蔵室５２ｂは、連絡通路５４を介して流入した第一貯蔵室５２ａの一部の冷気によって冷却される。
【００６２】
なお、ダンパー装置１の開閉制御については、周知の構成でよく、また本発明の要旨と直接関係しないため、詳細な説明は省略する。
【００６３】
さらに、ダンパー装置１は、第一貯蔵室５２ａのみに限るものではなく、第二貯蔵室５２ｂ、第三貯蔵室５２ｃにも対応して設けることができ、また、制御装置による制御も、第一貯蔵室５２ａ、第二貯蔵室５２ｂ、第三貯蔵室５２ｃそれぞれに対応した周知の範囲で制御することもできる。
【００６４】
したがって、風路６１への取付けの構成に、実施の形態１の構成からなるケース７、カバー８を採用することにより、ダンパー装置１と風路６１の間のシール性を確実なものとし、温度調整のための気流制御を安定させ、信頼性を高めた温度制御効果を得ることができる。また、風路６０におけるダンパー取付け部の構造も簡素化でき、取付け作業性の向上をはかると共に、取付けに要するコストの削減が可能となる。
【００６５】
なお、本実施の形態２の物品貯蔵装置においては、冷却気流を第一貯蔵室５２ａ、第二貯蔵室５２ｂ、第三貯蔵室５２ｃに供給する構成としたが、温調室（冷却室５９）に凝縮器５６を配置し、温風気流を第一貯蔵室５２ａ、第二貯蔵室５２ｂ、第三貯蔵室５２ｃに
供給する構成とすることもでき、また温調室（冷却室５９）に凝縮器５６と蒸発器５８を配置し、除湿された空気を第一貯蔵室５２ａ、第二貯蔵室５２ｂ、第三貯蔵室５２ｃに供給する構成とし、温風、あるいは除湿された乾燥空気の供給制御を行う機能を備えた物品貯蔵装置とすることもできる。
【産業上の利用可能性】
【００６６】
以上のように、本発明にかかるダンパー装置は、冷蔵庫に限らず、自動販売機等の機器にも搭載可能であり、流体通路を開閉し、流体の供給制御を行う用途に広く適用できる。
【符号の説明】
【００６７】
１  ダンパー装置
２  開口部
３  開口形成部
４  フレーム
５  バッフル
６  駆動部
７  ケース
７ａ  底面
７ｂ  側壁
７ｃ  段差部
７ｄ  モータ固定用突起
７ｇ  凸部
７ｈ  貫通孔
８  カバー
８ｅ  リブ
９  モータ（駆動源）
１２  減速輪列
１４  ネジ
１５  円柱部
１５ａ  ネジ穴
５１  貯蔵装置本体（物品貯蔵装置）
５２ａ  第一貯蔵室（物品貯蔵室）
５２ｂ  第二貯蔵室（物品貯蔵室）
５２ｃ  第三貯蔵室（物品貯蔵室）
５５  圧縮機
５６  凝縮器
５７  減圧装置
５８  蒸発器
５９  冷却室（温調室）
６０  風路
６１  送風機
【図１】
2011012843.tif 000003
【図２】
2011012843.tif 000004
【図３】
2011012843.tif 000005
【図４】
2011012843.tif 000006
【図５】
2011012843.tif 000007
【図６】
2011012843.tif 000008
【図７】
2011012843.tif 000009
【図８】
2011012843.tif 000010
【図９】
2011012843.tif 000011